(57)【要約】      （修正有）【課題】寸法誤差が生じた場合でも、輸液チューブを十分に押圧し、内腔を完全に閉鎖することができる閉鎖フィンガーを備えた輸液ポンプを提供する。【解決手段】輸液チューブを配置する溝が形成されたチューブ取付面を有するポンプ本体と、ポンプ本体に対して揺動自在に取付けられるとともに、チューブ溝に嵌まる突条部を有するカバー体と、チューブ溝に装着された輸液チューブに対し、進退しつつ押圧する複数のフィンガーと、複数のフィンガーを進退させる駆動部と、を備え、輸液チューブを押しつぶし、内腔を閉鎖する複数の閉鎖フィンガー５２１と、輸液チューブの内腔を閉鎖しない程度に押圧する複数の送液フィンガーとで構成され、閉鎖フィンガー５２１は、一方向に延びる本体部５４１と、本体部５４１に装着され、一方向に往復動可能で輸液チューブを押圧する可動部５４２とを備え、可動部５４２は、本体部５４１から突出する方向に付勢されている。【選択図】図４
2015021458.tif 000002
【特許請求の範囲】
【請求項１】
輸液チューブの外周面を押圧して送液を行う輸液ポンプであって、
前記輸液チューブを配置するチューブ溝が形成されたチューブ取付面を有するポンプ本体と、
前記ポンプ本体に設けられたヒンジと、
前記ポンプ本体のチューブ取付面を塞ぐように、前記ヒンジを介して前記ポンプ本体に対して揺動自在に取付けられるとともに、前記チューブ溝に嵌まる突条部を有するカバー体と、
前記ポンプ本体の前記チューブ溝に沿って配置され、当該チューブ溝に装着された輸液チューブに対し、進退しつつ押圧する複数のフィンガーと、
前記複数のフィンガーを進退させる駆動部と、
を備え、
前記複数のフィンガーは、
前記輸液チューブを押しつぶし、当該輸液チューブの内腔を閉鎖する複数の閉鎖フィンガーと、
前記輸液チューブの内腔を閉鎖しない程度に押圧する少なくとも１つの送液フィンガーと、で構成され、
前記各閉鎖フィンガーは、一方向に延びる本体部と、当該本体部に装着され、前記一方向に往復動可能で前記輸液チューブを押圧する可動部とを備え、
前記可動部は、前記本体部から突出する方向に付勢されている、輸液ポンプ。
【請求項２】
前記突条部は、前記輸液チューブと当接する平坦面を有している、請求項１に記載の輸液ポンプ。
【発明の詳細な説明】
【技術分野】
【０００１】
本発明は、輸液ポンプに関する。
【背景技術】
【０００２】
従来より、輸液チューブの外周面を複数のフィンガーで順次押圧することで輸液の送液を行う輸液ポンプが提案されている。例えば、特許文献１における輸液ポンプでは、各フィンガーは、棒状に形成され、輸液チューブに対して進退自在に支持されている。また、複数のフィンガーは、輸液チューブを押しつぶして内腔を閉鎖する閉鎖フィンガーと、内腔を閉鎖しない程度に押しつぶす送液フィンガーとで構成されている。閉鎖フィンガーは、輸液チューブを押しつぶすことで、輸液が連続的に流れるのを防止し、適切な量の輸液をチューブ内に貯める機能を有する。一方、送液フィンガーは、輸液チューブを順次押圧し、輸液チューブに蠕動運動を付与する機能を有する。具体的には、閉鎖フィンガーが適量の輸液を貯めた後、押圧を解除して輸液を流し、このとき送液フィガーで輸液チューブに蠕動運動を付与すると、設定された流量の輸液を送液することができる。
【先行技術文献】
【特許文献】
【０００３】
【特許文献１】特許第３５９５１３５号公報
【発明の開示】
【発明が解決しようとする課題】
【０００４】
しかしながら、上記のような輸液ポンプの閉鎖フィンガーは、棒状に形成されているため、寸法誤差が生じた場合には、輸液チューブを十分に押圧することができず、内腔を完全に閉鎖できないおそれがある。このように内腔を完全に閉鎖できないと、輸液が連続的に流れてしまい、流量の制御ができないという問題がある。
【０００５】
本発明は、上記問題を解決するためになされたものであり、寸法誤差が生じた場合でも、輸液チューブを十分に押圧し、内腔を完全に閉鎖することができる閉鎖フィンガーを備えた輸液ポンプを提供することを目的とする。
【課題を解決するための手段】
【０００６】
本発明は、輸液チューブの外周面を押圧して送液を行う輸液ポンプであって、前記輸液チューブを配置するチューブ溝が形成されたチューブ取付面を有するポンプ本体と、前記ポンプ本体に設けられたヒンジと、前記ポンプ本体のチューブ取付面を塞ぐように、前記ヒンジを介して前記ポンプ本体に対して揺動自在に取付けられるとともに、前記チューブ溝に嵌まる突条部を有するカバー体と、前記ポンプ本体の前記チューブ溝に沿って配置され、当該チューブ溝に装着された輸液チューブに対し、進退しつつ押圧する複数のフィンガーと、前記複数のフィンガーを進退させる駆動部と、を備え、前記複数のフィンガーは、前記輸液チューブを押しつぶし、当該輸液チューブの内腔を閉鎖する複数の閉鎖フィンガーと、前記輸液チューブの内腔を閉鎖しない程度に押圧する少なくとも１つの送液フィンガーと、で構成され、前記各閉鎖フィンガーは、一方向に延びる本体部と、当該本体部に装着され、前記一方向に往復動可能で前記輸液チューブを押圧する可動部とを備え、前記可動部は、前記本体部から突出する方向に付勢されている。
【０００７】
この構成によれば、閉鎖フィンガーが本体部と、この本体部に対して往復動可能な可動部とで構成され、可動部が本体部から突出する方向に付勢されているため、製造誤差などが生じた場合であっても、可動部が本体部に対して進退することで、製造誤差を吸収することができる。その結果、輸液チューブに対し、内腔を閉鎖するように確実に押圧することができる。
【０００８】
上記輸液ポンプにおいて、前記突条部は、前記輸液チューブと当接する平坦面を有することができる。
【０００９】
このようにすると、輸液チューブは、突条部と、フィンガーとの間で挟まれることになるが、突条部は、平坦面を有しているため、輸液チューブにおいて、突条部側の面は平坦面によって静的に支持されつつ、それとは反対側のフィンガーと対向する側の面が押圧により変形する。したがって、フィンガーからの押圧力を確実に作用させることができる。一方、輸液チューブの両側から変形を受けると、輸液チューブが蛇行するおそれがあり、フィンガーからの押圧力を確実に作用させることができない可能性がある。よって、本発明に係る輸液ポンプでは、閉鎖フィンガーにより、輸液チューブを確実に押圧することができ、正確な流量の輸液を供給することができる。
【発明の効果】
【００１０】
本発明に係る輸液ポンプの閉鎖フィンガーを用いると、寸法誤差が生じた場合でも、輸液チューブを十分に押圧し、内腔を完全に閉鎖することができる。
【図面の簡単な説明】
【００１１】
【図１】本発明の一実施形態に係る輸液ポンプの斜視図である。
【図２】図１の輸液ポンプにおいて、カバー対を開いた状態を示す斜視図である。
【図３】ポンプ機構の断面図である。
【図４】閉鎖フィンガーの斜視図（ａ）、及び線断面図（ｂ）である。
【図５】支持板の斜視図である。
【図６】受け板を背面側から見た斜視図である。
【図７】カバー体が正常に閉じられる様子を示す断面図である。
【図８】カバー体が正常に閉じられる様子を示す断面図である。
【図９】カバー体が正常に閉じられる様子を示す断面図である。
【図１０】輸液チューブが誤装着されたときの、カバー体を閉じる様子を示す断面図である。
【発明を実施するための形態】
【００１２】
以下、本発明に係る輸液ポンプの一実施形態について図面を参照しつつ説明する。図１は、輸液ポンプの斜視図である。この輸液ポンプは、直方体状のポンプ本体１と、このポンプ本体１に対してヒンジ２により揺動自在に取付けられたカバー体３と、を備えている。そして、この輸液ポンプでは、ポンプ本体１とカバー体３との間に、輸液チューブ４を挟み、後述する複数のフィンガーによって輸液チューブ４に対して蠕動運動を行わせるようにして、輸液チューブ４内の輸液を所定の流量で送り出すものである。輸液チューブ４の上流には、輸液が収容された輸液バッグ（図示省略）が取り付けられており、この輸液バッグから輸液が輸液チューブ４に送られる。一方、輸液チューブ４の下流には患者の静脈などに刺し込まれる刺針（図示省略）などが取り付けられており、輸液チューブを流れる輸液を、輸液ポンプによって所望の量を患者に供給する。以下、この輸液ポンプについて、詳述する。
【００１３】
＜１．ポンプ本体＞
図２は、この輸液ポンプにおいて、カバー対を開いた状態を示す斜視図である。図２に示すように、ポンプ本体１において、カバー体３と対向する面、つまりカバー体３によって閉じられる面が、輸液チューブを取付けるためのチューブ取付面１１を構成している。チューブ取付面１１には、上下方向の中央よりも上部にポンプ機構５が取付けられており、このポンプ機構５を挟んで、上下方向に輸液チューブ４が嵌め込まれるチューブ溝６が形成されている。ここでは、ポンプ機構５の上側のチューブ溝を上部チューブ溝６１、ポンプ機構５の下側のチューブ溝を下部チューブ溝６２と称し、さらにポンプ機構５において形成されているチューブ溝を中央チューブ溝６３と称することとする。また、上部チューブ溝及び下部チューブ溝には、チューブを挟むためのクランプが設けられている。
【００１４】
ポンプ機構５は、中央チューブ溝６３を挟んで両側に配置される一対の基板５１を備えている。すなわち、両基板５１の間の隙間が中央チューブ溝６３を構成する。ここでは、ヒンジ２側に配置された基板を第１基板５１ａと称し、ヒンジ２とは反対側（図２の右側）に配置された基板を第２基板５１ｂと称することとする。各基板５１ａ，５１ｂは、矩形状に形成されており、中央チューブ溝６３側の端部で、この溝に沿って延びる側突条部５１１ａ，５１１ｂがそれぞれ形成されている。また、上下方向の両端部には規制板５１２ａ，５１２ｂが形成されており、この規制板５１２ａ，５１２ｂの間に、後述するカバー体３の受け板３４が配置されるようになっている。そして、第２基板５１ｂの右側には、ガイド部材１２が設けられている。このガイド部材１２は、チューブ取付面１１からカバー体３側へ突出し、上下方向に延びるような板状に形成されている。また、このガイド部材１２において、第２基板５１ｂ側の面には、先端から基板５１ｂ側へ向かって下る傾斜面１２１が形成されている。このガイド部材１２は、後述するように、カバー体３の受け板３４と係合する部材である。
【００１５】
次に、ポンプ機構５において、輸液チューブ４の蠕動運動を行わせるための構造について、図３も参照しつつ説明する。図３はポンプ機構の断面図である。基板５１ａ，５１ｂの背面には、中央チューブ溝６３に沿って上下方向に並ぶ複数のフィンガー５２１〜５２５と、これらフィンガー５２１〜５２５を輸液チューブ４に対して進退させる駆動部５３と、が配置されている。本実施形態では、合計５個のフィンガーが用いられているが、そのうち、最上部と最下部に配置されているものが、輸液チューブ４の内部空間が閉鎖されるように、輸液チューブ４を押しつぶす閉鎖フィンガーであり、ここでは、最上部のものを第１閉鎖フィンガー５２１、最下部のものを第２閉鎖フィンガー５２５と称することとする。そして、２個の閉鎖フィンガー５２１，５２５の間には、輸液チューブ４を押しつぶさない程度に押圧し、蠕動運動をさせるための３個の送液フィンガーが配置されている。ここでは、３つの送液フィンガーを、上から第１，第２，及び第３送液フィンガー５２２〜５２４と称することとする。これら５個のフィンガー５２１〜５２５は、先端部が、両基板５１ａ、５１ｂの間から外部を臨むように配置され、後端部がポンプ本体１の背面側に延びるような棒状に形成されている。なお、フィンガーの数は特には限定されず、例えば、閉鎖フィンガーが２個以上、送液フィンガーが１つ以上設けられていれば、後述するような所定量ずつの輸液の排出を行うことができる。
【００１６】
まず、閉鎖フィンガー５２１，５２５について、図４を参照しつつ説明する。図４は閉鎖フィンガーの斜視図（ａ）、及び断面図（ｂ）である。なお、両閉鎖フィンガーは、同じ構成であるため、ここでは、第１閉鎖フィンガー５２１について説明する。同図に示すように、閉鎖フィンガー５２１は、筒状の本体部５４１と、この本体部５４１に挿入される可動部材５４２とを備えている。本体部５４１において、先端部側には、円筒状の凹部５４３が形成されており、この凹部５４３に上述した可動部材５４２が挿入される。また、本体部５４１の外周面には、軸方向に延びる一対の長穴５４４が形成されており、これらは本体部５４１の軸心Ｘを挟んで対向配置されている。また、本体部５４１の後端部には、ローラ５４５が回転自在に取付けられており、このローラ５４５が後述する駆動部５３のカムに当接するカムフォロワーを構成している。
【００１７】
可動部材５４２は、本体部５４１の凹部５４３に挿入される筒状の基部５４６と、この基部５４６の先端に取付けられ、輸液チューブ４を押圧する押圧部５４７とを備えている。基部５４６の後端にはバネ５４８が嵌め込まれ、この状態で本体部５４１の凹部５４３に挿入されている。したがって、可動部材５４２は、バネ５４８によって凹部５４３から突出する方向に付勢されている。また、基部５４６の側面には、径方向に貫通孔５４６１が形成されており、基部５４６が本体部５４１の凹部５４３に挿入されているとき、本体部５４１の長穴５４４及び貫通孔５４６１には、軸部材５４９が嵌め込まれている。したがって、この軸部材５４９が抜け留めになり、可動部材５４２は、本体部５４１から抜け落ちないようにされ、且つ、長穴５４４の長さだけ、軸方向に移動可能となっている。
【００１８】
押圧部５４７は、軸心が中央チューブ溝６３と平行に延びるような五角形状の中空の筒形に形成されており、先端部には突条５４７１が形成されている。突条５４７１は、中央チューブ溝６３と直交するように延びており、この突条５４７１により、輸液チューブ４を押しつぶすようになっている。また、中空部分において、突条５４７１と対応する部分には突条５４７１を補強するための補強板５４７２が設けられ、中空部分を塞ぐように、且つ突条５４７１と平行に配置されている。
【００１９】
次に、送液フィンガーについて説明する。３つの送液フィンガー５２２〜５２４は同じ構成であるため、ここでは第１送液フィンガー５２２について説明する。図３に示すように、送液フィンガー５２２は、棒状の本体部５５１と、この本体部５５１の先端に設けられた押圧部５５２とを備えている。本体部５５１の後端部には、閉鎖フィンガーと同様に、ローラ５５３が回転自在に取付けられ、カムフォロワーを構成している。押圧部５５２は、閉鎖フィンガーの押圧部５４７と同様に、軸心が中央チューブ溝６３と平行に延びるような五角形状の中空の筒形に形成されている。但し、突条は設けられておらず、輸液チューブ４を押圧する面が、平坦になるように向きが調整されている。
【００２０】
続いて、これらフィンガー５２１〜５２５を駆動する駆動部５３について説明する。図３に示すように、駆動部５３は、フィンガー５２１〜５２５の背面側に配置され、中央チューブ溝６３と平行に延びる軸部材５３１を備えている。この軸部材５３１は、ポンプ本体１内で回転自在に支持されており、図示を省略するモータによって軸回りに回転するように構成されている。また、軸部材５３１の外周面には、５個のカム５６１〜５６５が固定されており、各カム５６１〜５６５が、５つのフィンガー５２１〜５２５それぞれのカムフォロワー５４５，５５３と当接するように構成されている。これらのカム５６１〜５６５は、軸部材５３１が回転することで、５つのフィンガー５２１〜５２５を設定された順番で、中央チューブ溝６３側に対して進退させ、輸液チューブに対する押圧を繰り返すように構成されている。これにより、輸液チューブ４が蠕動運動を行うように動作する。
【００２１】
なお、軸部材の回転速度は、図示を省略するコントローラで制御される。また、カム５６１〜５６５の形状などは、適宜変更可能である。
【００２２】
＜２．カバー体＞
次に、カバー体３について説明する。図１に示すように、カバー体３の表面３１には、操作パネルが設けられている。操作パネルの詳細に関する図示は省略するが、この操作パネルには、液晶ディスプレイと、各種スイッチが配置されている。スイッチとしては、例えば、電源スイッチ、輸液の流量を調整する流量調整スイッチ、早送りスイッチ、ボーラスイッチなどが配置されている。早送りスイッチとは、気泡除去などを目的に押している間、早送りで送液を行うためのスイッチであり、ボーラススイッチとは、ワンショット注入を目的として、押しっぱなしにすることで設定量を急速投与するスイッチである。また、液晶ディスプレイには、例えば、時刻、設定された流量、輸液された積算量などが表示される。
【００２３】
続いて、カバー体３の背面である設置面３２の構成について説明する。カバー体３の設置面３２には、矩形状の設置用凹部３２１が形成されており、この設置用凹部３２１には矩形状の支持板３３が配置されている。そして、この支持板３３を覆うように、上述した受け板３４が配置されている。
【００２４】
図５は支持板の斜視図である。図５に示すように、支持板３３の４隅には、支持板３３を設置用凹部３２１に固定するためのねじ穴３３１が形成されている。また、これらねじ穴３３１の左右方向の内側には、それぞれ受け板３４を保持するための保持用ネジ部３３２が取付けられており、これらネジ部３３２は、雌ネジを有する筒状に形成されている。支持板３３の幅方向の中央には、上下方向に並ぶ３つの保持穴３３３が形成されており、これら保持穴３３３の中には突部３３３１がそれぞれ形成されている。これら突部３３３１には、後述するように第１バネ３５が嵌め込まれる。また、右側の一対の保持用ネジ部３３２の間には、上下方向に延びる突板３３４が設けられている。さらに、この突板３３４の右側には、次に説明するスライド部材３６が嵌まるガイド溝３３５が形成されている。なお、この支持板３３は、カバー体３と別部材となっているが、カバー体３の設置面３２と一体的に形成することもできる。
【００２５】
スライド部材３６は、直方体状に形成されており、ガイド溝３３５に沿って左右方向にスライド可能となっている。そして、スライド部材３６の突板３３４側（左側）の端部には、受け板３４側へ突出する押圧板３６１が取付けられており、この押圧板３６１が受け板３４の右端部を押圧するようになっている。一方、スライド部材３６の右側（ヒンジ側）の端部には、第２バネ３７が嵌め込まれるバネ穴３６２が形成されている。このバネ穴３６２は左右方向に延びており、第２バネ３７もこのバネ穴３６２に沿って左右方向に延びるように配置される。第２バネ３７の端部は、設置用凹部３２１の端縁の内部に固定されており、これによって、スライド部材３６は、第２バネ３７により左側へ付勢され、これとともに、受け板３４も左側へ付勢される。
【００２６】
次に、受け板３４について、図２に示すように、受け板３４の表面、つまりポンプ本体１と対向する面（以下、これを表面と称する）には、左右方向の中央に中央突条部３４１が形成されている。この中央突条部３４１は、上下方向に延び、ポンプ機構５の基板５１ａ，５１ｂ間の隙間の中央チューブ溝６３に嵌まるようになっており、中央チューブ溝６３と対向する平坦面を有している。すなわち、中央突条部３４１の幅は、中央チューブ溝６３の幅とほぼ同じである。また、この中央突条部３４１の両側には、ポンプ機構５の各基板５１ａ，５１ｂに設けられた側突条部５１１ａ，５１１ｂが嵌まる一対の溝３４２ａ，３４２ｂが形成されている。さらに、受け板３４の両側には、左右方向に延びる切り欠き部３４３が２個ずつ形成されており、各切り欠き部３４３の内壁面にはフランジ３４３１が形成されている。これら切り欠き部３４３には、上述した支持板３３の保持用ネジ部３３２が挿通され、ワッシャ４３を介してネジ留めされるようになっている。このとき、ワッシャ４３は、各切り欠き部３４３のフランジ３４３１を覆うように配置されるため、このワッシャ４３により受け板３４が支持板３３から外れないようになっている。また、各保持用ネジ部３３２は、切り欠き部３４３の中で、相対的に左右方向に移動可能となっている。
【００２７】
続いて、受け板３４において支持板３３と対向する面（以下、背面と称する）ついて、図６も参照しつつ説明する。図６は受け板を背面側から見た斜視図である。同図に示すように、受け板３４の背面には、支持板３３に固定された第１バネ３５が嵌まる３個の長穴３４５が形成されている。各長穴３４５は左右方向に延びており、各長穴３４５の中で、第１バネ３５が左右方向に移動可能となっている。すなわち、各第１バネ３５は、支持板３３側では、突部３３３１に嵌まって固定されているが、受け板３４側では固定されずに長穴３４５にはまっているだけであるため、長穴３４５の中を左右方向に移動可能である。このとき、第１バネ３５が長穴３４５の中でスムーズに移動できるように、第１バネ３５の端部に平坦面を有するスライド部材（図示省略）を取り付けることもできる。そして、スライド部材の平坦面が長穴３４５の中でスライドするように配置すれば、第１バネ３５の端部は、長穴３４５の中でスムーズに左右方向に移動することができる。
【００２８】
また、長穴３４５よりも右側には上下方向に延びる固定用凹部３４６が形成されており、この固定用凹部３４６の右側には上下方向に延びるチェック用凹部３４７が形成されている。これら２つの凹部３４６，３４７は平行に並び、いずれも支持板３３の突板３３４が嵌まる大きさに形成されている。
【００２９】
以上のような構成により、受け板３４は、第１バネ３５によってカバー体３の背面３２から離間する方向に押圧される。但し、ワッシャ４３が切り欠き部３４３のフランジ３４３１に係合するため、これが抜け止めになって受け板３４が支持板３３から外れるのが防止される。また、受け板３４の４つの切り欠き部３４３には、支持板３３に形成された保持用ネジ部３３２が挿通されているため、受け板３４は、保持用ネジ部３３２によりガイドされながら、左右方向に移動することができる。
【００３０】
また、カバー体３の設置面３２において、受け板３４よりも上方及び下方には、上部及び下部チューブ溝６１，６２に装着された輸液チューブ４を押圧するための突部３９が設けられている。したがって、受け板３４だけでなく、このような突部３９によっても、輸液チューブ４は押圧される。
【００３１】
＜３．輸液ポンプの動作＞
次に、上記のように構成されたポンプ装置の使用方法及び動作について説明する。図７〜図９はカバー体が正常に閉じられる様子を示す断面図である。以下では、まずカバー体を閉じるまでを説明し、その後、輸液チューブにより輸液を送液する動作について説明する。
【００３２】
＜３．１  輸液チューブの取付とカバー体の設置＞
まず、カバー体３を開き、輸液チューブ４をチューブ溝６１〜６３に取付ける。このとき、輸液チューブ４の上流側には、輸液バッグが取り付けられており、下流側には刺針が取り付けられている。
【００３３】
そして、輸液チューブ４が装着されると、初期位置（第１のポジション）からカバー体３を閉じる。カバー体３を閉じていくと、図７に示すように、まず、ポンプ本体１のガイド部材１２が、受け板３４の端部に当接する。この状態で、さらにカバー体３を閉じると、ガイド部材１２の傾斜面１２１が受け板３４の左側の端部を押圧し、これによって受け板３４は、第２バネ３７の弾性力に抗してヒンジ２側へ移動していく。そして、受け板３４の端部がガイド部材１２の傾斜面１２１を通過するまでカバー体３が閉じられると、受け板３４はさらにヒンジ２側へ移動し、図８に示すように、支持板３３の突板３３４が固定用凹部３４６と対向する位置に配置される。また、受け板３４の中央突条部３４１は中央チューブ溝６３と対向する位置に配置される。この状態で、カバー体３をさらに押し込んで閉じようとすると、受け板３４がポンプ本体１の基板５１ａ，５１ｂから押圧される。これにより、受け板３４は第１バネ部材に抗して、支持板３３へと押し付けられる。こうして、図９に示すように、受け板３４が支持板３３と基板５１ａ，５１ｂとの間に密着して挟まれた状態で、カバー体３が完全に閉じられる（第２のポジション）。このとき、受け板３４の中央突条部３４１は中央チューブ溝６３に嵌まり、輸液チューブをしっかりと固定する。また、各基板５１ａ，５１ｂの側突条部５１１ａ，５１１ｂは、受け板３４の溝に嵌まる。
【００３４】
以上のようなカバー体３を閉じる動作は、カバー体３が正常に閉じられた場合の動作であるが、輸液チューブ４が中央チューブ溝６３に適切に嵌まっておらず、その一部でも中央チューブ溝６３からはみ出し、例えば、基板５１ａ，５１ｂの側突条部５１１ａ，５１１ｂの上に配置される場合には、次のように、動作する。
【００３５】
図１０は、輸液チューブを配置したときに、誤って基板５１ａ，５１ｂの側突条部５１１ａ，５１１ｂの上に輸液チューブ４が配置された例を示している。この例において、カバー体３を閉じると、図７と同様に、ガイド部材１２が、受け板３４の端部に当接し、受け板３４の端部はガイド部材１２の傾斜面１２１に押圧されてヒンジ２側へ移動していく。この過程で、基板５１ａ，５１ｂの側突条部５１１ａ，５１１ｂにはみ出した輸液チューブ４は、受け板３４がヒンジ２側に完全に押し込まれる前に、受け板３４の表面または中央突条部３４１に当接する。この状態でカバー体３がさらに閉じられると、図１０に示すように、支持板３３の突板３３４が、固定用凹部３４６と対向する位置に配置される前に、受け板３４が支持板３３側へ押圧され、支持板３３の突板３３４は、チェック用凹部３４７に入り込む。これにより、受け板３４のヒンジ２側への移動が制限され、受け板３４はこれ以上、左右方向への移動ができなくなる。その結果、カバー体３を閉じることができず、ユーザは、輸液チューブ４が中央チューブ溝６３に正常に配置されていないことを認識することができる。
【００３６】
なお、上記の説明では、突板３３４がチェック用凹部３４７に嵌まることで、受け板が移動できなくなっているが、輸液チューブ４が受け板３４と基板５１ａ，５１ｂとの間に挟まれると、受け板３４は輸液チューブ４との間の摩擦力によって左右方向に移動できなくなる。したがって、突板３３４とチェック用凹部３４７とを設けると、受け板３４を確実に移動できなくすることができるが、それまでに、輸液チューブ４との摩擦によって受け板３４は既に移動できなくなっている。
【００３７】
＜３．２  輸液の送液動作＞
次に、操作パネルを操作して輸液の流量を決定する。これにより、軸部材が所定の速度で回転し、各フィンガーが前進及び後退する。各フィンガーの動作は種々の設定ができるが、例えば、以下のようにすることができる。まず、第２閉鎖フィンガー５２５が前進し輸液チューブ４を押しつぶし、輸液チューブ４を閉鎖する。続いて、第１閉鎖フィンガー５２１、第１、第２、第３送液フィンガー５２２〜５２４が、この順で後退し、輸液チューブ４には第２閉鎖フィンガー５２５よりも上方に輸液が溜まっていく。これに続いて、第１閉鎖フィンガー、第１、第２、第３送液フィンガー５２２〜５２４が、この順で前進することで、輸液チューブ４が蠕動運動を行うように動作し、輸液の下方への流れが促される。そして、第３送液フィンガー５２４が前進した後、第２閉鎖フィンガー５２５が後退することで、輸液チューブ４の閉鎖が解除され、下方へ開放する。これにより、蠕動運動で下方への向かう輸液が、第２閉鎖フィンガー５２５の下方へ流れ出る。以上の動作を繰り返すことで、輸液が設定された流量で送液される。
【００３８】
＜４．  特徴＞
以上のように、本実施形態によれば、閉鎖フィンガー５２１が本体部５４１と、この本体部５４１に対して往復動可能な可動部材５４２とで構成され、バネ５４８によって可動部材５４２が本体部５４１から突出する方向に付勢されている。そのため、閉鎖フィンガー５２１に製造誤差などが生じた場合であっても、可動部材５４２が本体部５４１に対して進退することで、製造誤差を吸収することができる。その結果、輸液チューブ４に対し、内腔を閉鎖するように確実に押圧することができる。
【００３９】
また、輸液チューブ４は、中央突条部３４１と、各フィンガー５２１〜５２５との間で挟まれているが、中央突条部３４１は、平坦面を有しているため、輸液チューブ４において、中央突条部３４１側の面は平坦面によって静的に支持されつつ、それとは反対側のフィンガー５２１〜５２５と対向する側の面が押圧により変形する。したがって、フィンガー５２１〜５２５からの押圧力を輸液チューブ４に対して確実に作用させることができる。一方、例えば、輸液チューブ４の両側から変形を受けると、輸液チューブ４が蛇行するおそれがあり、フィンガー５２１〜５２５からの押圧力を確実に作用させることができない可能性がある。よって、本実施形態に係る輸液ポンプでは、閉鎖フィンガー５２１により、輸液チューブ４を確実に押圧することができ、正確な流量の輸液を供給することができる。
【００４０】
＜５．  変形例＞
以上、本発明の一実施形態について説明したが、本発明は上記実施形態に限定されるものではなく、その趣旨を逸脱しない限りにおいて、種々の変更が可能である。
【００４１】
例えば、上記実施形態では、フィンガー５２１〜５２５を駆動する駆動部としてカム機構を用いているが、これに限定されるものではない。すなわち、フィンガー５２１〜５２５を設定された順序で輸液チューブ４に対して進退できるのであれば、種々の構成が可能である。
【００４２】
上記実施形態において、閉鎖フィンガー５２１の可動部材５４２は、バネ５４８によって付勢されているが、付勢力が作用するのであれば、バネ以外でもよい。
【００４３】
また、閉鎖フィンガー５２１、５２５は、最上部と最下部に配置しているが、閉鎖フィンガーの配置位置は限定されず、少なくとも１つの送液フィンガーを介して２箇所に配置されていればよい。
【符号の説明】
【００４４】
１  ポンプ本体
１１  チューブ取付面
２  ヒンジ
３  カバー体
３４  受け板
３４１  中央突条部（突条部）
５２１、５２５  閉鎖フィンガー
５４１  本体部
５４２  可動部材（可動部）
【図１】
2015021458.tif 000003
【図２】
2015021458.tif 000004
【図３】
2015021458.tif 000005
【図４】
2015021458.tif 000006
【図５】
2015021458.tif 000007
【図６】
2015021458.tif 000008
【図７】
2015021458.tif 000009
【図８】
2015021458.tif 000010
【図９】
2015021458.tif 000011
【図１０】
2015021458.tif 000012